(57)【要約】【課題】保守員が伝送装置まで出向くことなく、伝送装置の異常解析や運用状態の確認を行えるようにした電力系統監視制御システムを提供する。【解決手段】電力系統設備の状態情報を伝送路および中継装置を介して伝送するようにした電力系統監視制御システムにおいて、一方の伝送路から伝送データを受信して他方の伝送路へデータを送信する機能および自装置状態を検出する機能を有する伝送装置と、この伝送装置の検出情報を入力する伝送状態通知装置とを備えた中継装置と、この中継装置の伝送状態通知装置からの情報を受信し、一括管理する伝送監視装置とから構成した。【選択図】　図１
2004048845.tif 000002
【特許請求の範囲】
【請求項１】
電力系統設備の状態情報を伝送路および中継装置を介して伝送するようにした電力系統監視制御システムにおいて、
一方の伝送路から伝送データを受信して他方の伝送路へデータを送信する機能、自装置状態を検出する機能を有する伝送装置およびこの伝送装置の検出情報を入力する伝送状態通知装置を備えた中継装置と、
この中継装置の伝送状態通知装置からの情報を受信し、管理する伝送監視装置と、から構成されたことを特徴とする電力系統監視制御システム。
【請求項２】
伝送装置に発生した異常状態の解析に必要な解析用データを保存する解析データ保存エリアを前記中継装置に設け、この解析データ保存エリアに保存されている解析データを前記伝送状態通知装置から前記伝送監視装置に伝送して伝送装置の異常状態の解析を行うようにしたことを特徴とする請求項１記載の電力系統監視制御システム。
【請求項３】
到達確認対象である伝送データ種別を保存する通知対象伝送データ種別テーブルを前記中継装置に設け、前記伝送装置から伝送状態通知装置に検出状態情報が入力されたとき、前記伝送状態通知装置から伝送監視装置に通知して伝送データの到達確認を行えるようにしたことを特徴とする請求項１記載の電力系統監視制御システム。
【請求項４】
伝送データのトレースデータを保存するトレースデータ保存手段を前記中継装置に設け、このトレースデータを前記伝送状態通知装置から前記伝送監視装置に伝送することにより、伝送データの確認を行えるようにしたことを特徴とする請求項１記載の電力系統監視制御システム。
【請求項５】
伝送装置の運用状態情報を保存する運転状態保存テーブルを前記中継装置に設け、この運転状態保存テーブルに保存されている伝送装置の運用状態情報を前記伝送状態通知装置から伝送装置監視装置に伝送することにより、伝送装置の保守管理を行えるようにしたことを特徴とする請求項１記載の電力系統監視制御システム。
【請求項６】
前記伝送状態通知装置に予め情報の通知先を設定しておき、前記伝送装置から検出情報が伝送状態通知装置に入力されたとき、当該指定された通知先に検出情報を伝送することを特徴とする請求項１ないし請求項３のいずれかに記載の電力系統監視制御システム。
【請求項７】
電力系統設備の状態情報を伝送路および中継装置を介して伝送するようにした電力系統監視制御システムにおいて、
一方の伝送路から伝送データを受信して他方の伝送路へデータを送信する機能および通知先を付加した伝送データを受信したときに通知先を検出する機能を有する伝送装置と、この伝送装置の検出情報を入力し、通知先に向けて送信する伝送状態通知装置とを備えた中継装置と、
この中継装置の伝送状態通知装置からの情報を受信し、管理する伝送監視装置と、
から構成された電力系統監視制御システム。
【発明の詳細な説明】
【０００１】
【発明の属する技術分野】
本発明は、電力系統の系統状態を監視制御する電力系統監視制御システムに係り、特に伝送情報の状態を監視する装置に関するものである。
【０００２】
【従来の技術】
図８は、従来の電力系統監視制御システムの構成図である。図において、１０は電力系統監視制御装置であり、内部に電力系統の状態を監視する監視制御装置１１および外部からの伝送データを前記監視制御装置１１へ受渡し、逆に、監視制御装置１１から出力された外部向けのデータを後述する中継装置へ伝送する伝送装置１２を備えている。
【０００３】
そして電力系統監視制御装置１０は、複数の伝送路をおよび中継装置を介して遠隔地に対向配置されている他の電力系統監視制御装置２０に接続され、当該電力系統監視制御装置２０の設備状態を入力している。この例では、３台の中継装置１３，１４および１５と、その間を接続する伝送路１６、１７、１８および１９を設けた構成を示している。
【０００４】
なお、前記中継装置１３、１４および１５は一方の伝送路から伝送データを受信して他方の伝送路へデータを送信する伝送装置１３−１および１３−２、１４−１および１４−２、１５−１および１５−２を備えている。
【０００５】
このように構成されたシステムにおいて、もし中継装置１３、１４および１５の伝送装置１３−１、１３−２、伝送装置１４−１、１４−２、伝送装置１５−１、１５−２に異常状態（例えば、送信先までデータが届かないとか、伝送データが変化する等の状態）が発生した場合および伝送装置の運用状態情報を採取する場合、中継装置１３、１４および１５の設置現場まで保守員が出向いてデータを採取し、解析を行うようにしていた。
【０００６】
【発明が解決しようとする課題】
上述した従来の電力系統監視制御システムでは、中継装置を中心とする伝送系の運用状態の把握、異常原因を解明するための作業に多大な時間と労力を要する欠点があった。
【０００７】
本発明は、以上述べた課題を解決するため、保守員が伝送装置まで出向くことなく、伝送装置の異常解析や運用状態の確認を行えるようにした電力系統監視制御システムを提供することを目的とするものである。
【０００８】
【課題を解決するための手段】
上記の目的を達成するため、請求項１に係わる電力系統監視制御システムの発明は、電力系統設備の状態情報を伝送路および中継装置介して伝送するようにした電力系統監視制御システムにおいて、一方の伝送路から伝送データを受信して他方の伝送路へデータを送信する機能、自装置状態を検出する機能を有する伝送装置およびこの伝送装置の検出情報を入力する伝送状態通知装置とを備えた中継装置と、この中継装置の伝送状態通知装置からの情報を受信し、管理する伝送監視装置とから構成されたことを特徴とする。
【０００９】
この発明によれば、伝送装置の異常状態を伝送状態通知装置経由で伝送監視装置で管理することにより、遠隔地より各伝送装置の状態を監視することが可能である。
【００１０】
また、請求項２記載の電力系統監視制御システムの発明は、請求項１において、伝送装置に発生した異常状態の解析に必要な解析用データを保存する解析データ保存手段を前記中継装置に設け、この解析データ保存手段に保存されている解析データを前記伝送状態通知装置から前記伝送監視装置に伝送して伝送装置の異常状態の解析を行うようにしたことを特徴とする。
【００１１】
この発明によれば、伝送装置に異常が発生した場合、伝送装置の異常解析に必要なデータを、伝送状態通知装置経由で伝送監視装置へ伝送することにより、保守員が、異常の発生した伝送装置まで出向くことなく、伝送装置の異常解析を可能とする。
【００１２】
また、請求項３記載の電力系統監視制御システムの発明は、請求項１において、到達確認対象である伝送データ種別を保存する通知対象伝送データ種別テーブルを前記中継装置に設け、前記伝送装置から伝送状態通知装置に検出状態情報が入力されたとき、前記伝送状態通知装置から伝送監視装置に通知して伝送データの到達確認を行えるようにしたことを特徴とする。
【００１３】
この発明によれば、伝送装置で中継した伝送データの情報を伝送状態通知装置経由で伝送監視装置へ通知することにより、保守員が伝送装置まで出向くことなく、伝送データの到達確認が可能である。
【００１４】
また、請求項４記載の電力系統監視制御システムの発明は、請求項１において、伝送データのトレースデータを保存するトレースデータ保存手段を前記中継装置に設け、このトレースデータを前記伝送状態通知装置から前記伝送監視装置に伝送することにより、伝送データの確認を行えるようにしたことを特徴とする。
【００１５】
この発明によれば、伝送装置で中継した伝送データのトレースデータを伝送状態通知装置経由で伝送監視装置へ伝送することにより、保守員が伝送装置まで出向くことなく、伝送装置を通過したデータの内容を確認することが可能である。
【００１６】
また、請求項５記載の電力系統監視制御システムの発明は、請求項１において、伝送装置の運用状態情報を保存する運転状態保存テーブルを前記中継装置に設け、この運転状態保存テーブルに保存されている伝送装置の運用状態情報を前記伝送状態通知装置から伝送装置監視装置に伝送することにより、伝送装置の保守管理を行えるようにしたことを特徴とする。
【００１７】
この発明によれば、伝送装置の運用状態情報（伝送データ数、伝送データ量、伝送エラー回数、伝送回線使用率など）を伝送状態通知装置経由で伝送監視装置へ通知することにより、保守員が伝送装置まで出向くことなく、伝送装置の運用状態を確認することが可能である。
【００１８】
また、請求項６記載の電力系統監視制御システムの発明は、請求項１ないし請求項３において、前記伝送状態通知装置に予め情報の通知先を設定しておき、前記伝送装置から検出情報が伝送状態通知装置に入力されたとき、当該指定された通知先に検出情報を伝送することを特徴とする。
この発明によれば、伝送状態通知装置に情報の通知先を設定可能とし、任意の通知先で保守員が伝送装置の状態を監視することが可能である。
【００１９】
また、請求項７記載の電力系統監視制御システムの発明は、電力系統設備の状態情報を伝送路および中継装置介して伝送するようにした電力系統監視制御システムにおいて、一方の伝送路から伝送データを受信して他方の伝送路へデータを送信する機能、通知先を付加した伝送データを受信したときに通知先を検出する機能を有する伝送装置およびこの伝送装置の検出情報を入力し、通知先に向けて送信する伝送状態通知装置を備えた中継装置と、この中継装置の伝送状態通知装置からの情報を受信し、管理する伝送監視装置とから構成されたことを特徴とする。
【００２０】
この発明によれば、通知先を付加した伝送データを伝送し、そのデータが伝送装置で中継された際に、伝送状態通知装置経由で指定された通知先（伝送監視装置）へ伝送データの情報を通知することにより、任意の通知先で保守員が伝送装置まで出向くことなく、伝送データの到達確認をすることが可能である。
【００２１】
【発明の実施の形態】
以下、本発明の実施の形態について図面を参照して説明する。なお、各図を通じて同一部分には同一符号を、また関連する部分には添字Ａ、Ｂ、…をつけて対応関係を明確にすることにより重複した説明を避けることにする。
【００２２】
（第１の実施の形態）
図１は本発明の第１の実施の形態を示す構成図である。
図１において、１３Ａ、１４Ａおよび１５Ａは、それぞれ中継装置であり、内部に伝送装置１３−１Ａ、１３−２Ａ、…１５−１Ａ、１５−２Ａおよび伝送状態通知装置１３−３Ａ、１４−３Ａ、１５−３Ａを設置している。
【００２３】
前記伝送装置１３−１Ａ、１３−２Ａ、…１５−１Ａ、１５−２Ａは一方の伝送路から伝送データを受信して他方の伝送路へデータを受け渡す機能のほかに、伝送装置自体の異常の発生あるいは復帰を検出する機能も併せ備えている。そして、伝送装置の異常状態の発生あるいは復帰を検出した場合、その検出情報を当該伝送装置毎に予め割り振られているアドレス情報とともに出力するように構成されている。
【００２４】
また、前記伝送状態通知装置１３−３Ａ、１４−３Ａ、１５−３Ａはそれぞれ前記伝送装置１３−１Ａおよび１３−２Ａ、１４−１Ａおよび１４−２Ａ、１５−１Ａおよび１５−２Ａから出力された検出情報およびアドレス情報を入力し、これらを伝送信号として出力する。
【００２５】
これら伝送状態通知装置１３−３Ａ、１４−３Ａ、１５−３Ａから出力された検出情報およびアドレス情報の伝送信号はそれぞれ監視用回線３０−１、３０−２、３０−３（全体符号を３０とする）を介して伝送監視装置４０Ａによって受信され、集中管理される。なお、この伝送監視装置４０Ａの主要構成部である伝送監視部４０−１は、受信したアドレスを参照することにより、異常の発生あるいは復帰をした伝送装置を特定するとともに、受信した検出情報を設定値あるいは以前の状態量と比較し、必要により編集・加工し、表示部４０−２に出力するように構成されている。
【００２６】
この結果、保守員は伝送監視装置４０Ａの設置されている１箇所に居て表示部４０−２に表示された情報を監視しているだけで、異常の発生あるいは復帰をした伝送装置の特定と、その異常の発生あるいは復帰の状態を把握することができる。
【００２７】
このように、本実施の形態によれば、各中継装置毎に伝送装置に関する情報を取得して発信する伝送状態通知装置を設け、さらにこの伝送状態通知装置から伝送されてきた情報を伝送監視装置で一括して監視するように構成したので、保守員が遠隔地に散在している中継装置までわざわざ出向く必要がなくなり、その分保守員の作業効率を向上させることができる。
【００２８】
（第２の実施の形態）
図２は本発明の第２の実施の形態の一部分を示す構成図であり、一部の中継装置と伝送監視装置との関係を示している。
【００２９】
図２において、中継装置１４Ｂは図１で示した中継装置１４Ａに対し新たに解析データ通知情報テーブル１４−４と、解析データ保存エリア１４−５とを設けたものである。ここで解析データ通知情報テーブルとは、伝送装置１４−１Ａ、または１４−２Ａに異常が発生した時に伝送監視装置４０Ｂへ伝送する解析データの項目を保存するテーブルのことであり、異常解析に必要なデータの場所、サイズを格納する。
【００３０】
一方、伝送監視装置４０Ｂは、図１の伝送監視装置４０Ａに対し新たに伝送装置の異常発生時に収集すべき解析データの情報（データ種別、サイズなど）を入力するための入力部４０−３と、各伝送装置毎の解析データを保存するための解析データ保存エリア４０−４とを設けている。ここでいうデータ種別とは、伝送データを一意に判別可能な伝送データ中に含まれているデータの種類を示すデータを意味する。
【００３１】
保守員が入力部４０−３から解析したいデータの情報を入力すると、伝送監視部４０−１はその情報を中継装置１４Ｂの伝送状態通知装置１４−３へ伝送する。この伝送状態通知装置１４−３は、受信した解析データの情報を解析データ通知情報テーブル１４−４に設定する。
【００３２】
一方、伝送装置１４−１Ｂまたは伝送装置１４−２Ｂは異常発生を検出した場合、その異常発生の情報を伝送状態通知装置１４−３Ｂに通知する。すると伝送状態通知装置１４−３Ｂは、解析データ通知情報テーブル１４−４に解析データの情報が既に設定されているか否かを確認する。解析データの情報が設定されている場合は、解析データ通知情報テーブル１４−４の情報をもとに解析データを収集し、解析データ保存エリア１４−５に解析データを保存する。
【００３３】
その後、伝送状態通知装置１４−３Ｂは解析データ保存エリア１４−５の解析データを監視用回線３０−２を介して伝送監視装置４０Ｂの伝送監視部４０−１に伝送する。すると伝送監視部４０−１は受信した解析データを解析データ保存エリア４０−４に保存する。保守員はこの解析データ保存エリア４０−４に保存された伝送装置毎のデータを用いて異常原因の解析を行う。
【００３４】
以上述べたように、本実施の形態によれば、第１の実施の形態に加え、予め保守員が設定した解析データ通知情報テーブルに基づいて伝送装置の異常発生時の解析データを分類して遠隔地へ伝送するので、保守員による分析作業の能率を上げることが可能である。
【００３５】
（第３の実施の形態）
図３は本発明の第３の実施の形態の一部分を示す構成図であり、図２同様一部の中継装置と伝送監視装置との関係を示している。
【００３６】
図３において、中継装置１４Ｃは図１で示した中継装置１４Ａに対し新たに通知対象伝送データ種別テーブル１４−６を設けている。なお、この通知対象伝送データ種別テーブルとは、中継するデータのなかで中継したことを伝送監視装置へ通知する必要がある伝送データのデータ種別を保存するテーブルを意味している。
一方、中継装置１４Ｃに対向して設けた伝送監視装置４０Ｃは、図１の伝送監視装置４０Ａに対し入力部４０−３を追加した構成を採用している。
【００３７】
保守員が伝送監視装置４０Ｃの入力部４０−３から到達確認実施対象の伝送データ種別を入力すると、伝送監視部４０−１は入力された伝送データ種別を中継装置１４Ｃの伝送状態通知装置１４−３Ｃへ伝送する。
【００３８】
伝送状態通知装置１４−３Ｃは、伝送監視部４０−１より受信した到達確認実施対象の伝送データ種別を、通知対象伝送データ種別テーブル１４−６に保存する。
【００３９】
伝送装置１４−１Ｃまたは伝送装置１４−２Ｃが伝送データを中継した時、伝送装置１４−１Ｃまたは伝送装置１４−２Ｃは、通知対象伝送データ種別テーブル１４−６を確認する。伝送装置の中継した伝送データが通知対象伝送データ種別テーブル１４−６に設定されている種別と同じである場合は、伝送装置１４−１Ｃまたは伝送装置１４−２Ｃは中継した伝送データ種別を、伝送状態通知装置１４−３Ｃに通知する。
【００４０】
すると、伝送状態通知装置１４−３Ｃは、中継した伝送データ種別、中継装置名、伝送装置名および中継時刻を伝送監視部４０−１に伝送する。伝送監視部４０−１は伝送装置によって中継された伝送データ種別、中継装置名、伝送装置名および中継時刻を表示部４０−２により表示し、保守員に呈示する。
【００４１】
以上述べたように、本実施の形態によれば、第１の実施の形態に加え、中継した伝送データ種別、中継装置名、伝送装置名および中継時刻を伝送監視部４０−１に伝送し表示することにより、保守員が伝送装置まで出向くことなく伝送データの到達確認作業を行うことが可能となる。
【００４２】
（第４の実施の形態）
図４は本発明の第４の実施の形態の一部分を示す構成図であり、図２同様一部の中継装置と伝送監視装置との関係を示している。
【００４３】
図４において、中継装置１４Ｄは図１で示した中継装置１４Ａに対し新たにトレース指示データテーブル１４−７およびトレースデータ保存手段（エリア）１４−８を設けたものである。一方、伝送監視装置４０Ｄには、前記トレースデータ保存手段（エリア）１４−８に対応して新たに伝送装置毎のトレースデータ保存エリア４０−４を設けるように構成した。
【００４４】
保守員が伝送監視装置４０Ｄの入力部４０−３からトレース機能のＯＮ／ＯＦＦ情報およびトレース機能をＯＮした時のトレース対象の伝送データ種別を入力すると、その入力情報は伝送監視部４０−１から中継装置１４Ｄの伝送状態通知装置１４−３Ｄに伝送される。これにより伝送状態通知装置１４−３Ｄは伝送監視部４０−１から伝送されてきたトレース機能に関する情報をトレース指示データテーブル１４−７に保存する。
【００４５】
伝送装置１４−１Ｄおよび伝送装置１４−２Ｄは伝送データを中継した時にトレース指示データテーブル１４−７を確認する。トレース機能がＯＮの場合でかつ、中継した伝送データがトレース指示データテーブル１４−７に保存されているトレース対象のデータ種別と一致した場合には、伝送装置１４−１Ｄまたは伝送装置１４−２Ｄは中継した伝送データをトレースデータ保存エリア１４−８に保存する。
【００４６】
保守員が前記入力部４０−３からトレースデータ伝送の指示を中継装置１４Ｄの伝送状態通知装置１４−３Ｄに指示すると、伝送状態通知装置１４−３Ｄは、トレースデータ保存エリア１４−８の内容を伝送監視部４０−１に伝送する。伝送監視部４０−１は、伝送されてきたトレースデータをトレースデータ保存エリア４０−４に保存する。
【００４７】
以上述べたように、本実施の形態によれば、伝送データのトレースデータを遠隔地へ伝送することにより、保守員が伝送装置に出向くことなく、伝送装置で中継された伝送データのトレースを確認することが可能となる。
【００４８】
（第５の実施の形態）
図５は本発明の第５の実施の形態の一部分を示す構成図であり、図２同様一部の中継装置と伝送監視装置との関係を示している。
【００４９】
図５において、中継装置１４Ｅは図１で示した中継装置１４Ａに対し新たに伝送装置毎の運転状態保存テーブル１４−９を設けたものであり、一方、伝送監視装置４０Ｅは図３の伝送監視装置４０Ｃと同じように構成している。ここで、運転状態保存テーブルとは、伝送装置の運転状態（伝送データ数、伝送データ量、伝送エラー回数、伝送回線使用率など）を保存するテーブルを指す。
【００５０】
運転状態保存テーブル１４−９は中継装置１４Ｅの伝送装置１４−１Ｅおよび伝送装置１４−２Ｅから運転状態（伝送データ数、伝送データ量、伝送エラー回数、伝送回線使用率など）情報取り込み保存する。
【００５１】
保守員が伝送監視装置４０Ｅの入力部４０−３から中継装置１４Ｅの伝送状態通知装置１４−３Ｅに対して運転状態通知要求を行うことにより、伝送監視部４０−１は伝送状態通知装置１４−３Ｅに対し運転状態通知の要求を伝送する。
【００５２】
伝送状態通知装置１４−３Ｅは運転状態保存テーブル１４−９から運転状態情報を取り出し、伝送監視部４０−１へ伝送する。伝送監視部４０−１は受取った運転状態情報を表示部４０−２に出力し保守員に呈示する。
【００５３】
以上述べたように、本実施の形態によれば、伝送装置の伝送データ数、伝送データ量、伝送エラー回数、伝送回線使用率などの運転状態を遠隔地へ伝送することにより、保守員が伝送装置まで出向くことなく、伝送装置の運転状態を確認することが可能となる。
【００５４】
（第６の実施の形態）
図６は本発明の第６の実施の形態の一部分を示す構成図であり、図２同様一部の中継装置と伝送監視装置との関係を示している。
【００５５】
図６において、中継装置１４Ｆは図１で示した中継装置１４Ａに対して通知先情報保存手段１４−１０を設けたものである。ここで、通知先情報保存手段とは、伝送監視装置を複数箇所に設置した場合、中継装置がどの伝送監視装置に情報を通知すべきかを予め伝送監視装置の名前を保存しておくエリアのことである。
【００５６】
一方、伝送監視装置は図２と同じ伝送監視装置を複数個４０Ｂ−１、４０Ｂ−２設けた点において若干異なる。
【００５７】
保守員が伝送装置１４−１Ｆ、１４−２Ｆの状態を、伝送装置監視装置４０Ｆ−１とは別の通知してほしい通知先（例えば伝送監視装置４０Ｆ−２）に関する情報を伝送監視装置４０Ｆ−１の入力部４０−３より入力する。すると伝送監視部４０Ｆ−１は、保守員より入力された通知先情報を伝送状態通知装置１４−３Ｆに伝送する。伝送状態通知装置１４−３Ｆは受取った通知先情報を通知先情報保存手段１４−１０に保存する。
【００５８】
中継装置１４Ｆで前述した第１、２あるいは第３の実施の形態に関する伝送監視装置への伝送すべき状態が発生した場合、伝送状態通知装置１４−３Ｆは、通知先情報保存手段１４−１０に保存されている通知先（伝送監視装置４０Ｆ−２）へ情報を伝送する。保守員はこの指定した通知先で表示部の内容を見て対応することになる。
【００５９】
以上述べたように、本実施の形態によれば伝送装置の状態を指定した伝送監視装置へ伝送することにより、保守員は、指定した伝送監視装置で伝送装置の監視を行うことが可能となる。
【００６０】
（第７の実施の形態）
図７は本発明の第７の実施の形態の一部分を示す構成図であり、図２同様一部の中継装置と伝送監視装置との関係を示している。
図７において、中継装置は図１と同じであり、また、伝送監視装置については、図６とほぼ同じである。
【００６１】
中継装置１４Ｇを経由して伝送する伝送データ５０は通知先情報５１とデータ部５２とから構成されている。伝送装置１４−１Ｇおよび１４−２Ｇは伝送データ５０を受信すると、その受信データの通知先情報５１に通知先が確認されているか否かを確認する。通知先情報５１に通知先が格納されている場合は、通知先情報５１とデータ部５２の受信時刻、伝送データの情報（データ種別、サイズなど）を伝送状態通知装置１４−３Ｇに通知する。
【００６２】
伝送状態通知装置１４−３Ｇは、受信時刻と伝送データ５０の情報、中継装置名、伝送装置名を通知先情報５１に格納されている通知先（図７では伝送監視装置４０Ｇ−２）へ伝送する。伝送監視装置４０Ｇ−２は伝送状態通知装置１４−３Ｇから伝送されてきた情報を表示部４０−３に出力し保守員に呈示する。
【００６３】
以上述べたように、本実施の形態によれば、伝送データに付加された通知先に対し中継した伝送データ情報を通知することにより、保守員が伝送装置まで出向くことなく、伝送データの到達確認が可能となる。
【００６４】
【発明の効果】
本発明の電力系統監視制御システムによれば、中継装置に伝送状態通知装置を設け、またこの伝送状態通知装置の情報を伝送監視装置に伝送するように構成したので、保守員が遠方に設置されている伝送装置までいちいち出向くことなく、伝送装置の異常解析や運用状態の確認を能率よく行うことができる。
【図面の簡単な説明】
【図１】本発明の第１の実施の形態を示す構成図。
【図２】本発明の第２の実施の形態を示す構成図。
【図３】本発明の第３の実施の形態を示す構成図。
【図４】本発明の第４の実施の形態を示す構成図。
【図５】本発明の第５の実施の形態を示す構成図。
【図６】本発明の第６の実施の形態を示す構成図。
【図７】本発明の第７の実施の形態を示す構成図。
【図８】従来装置の構成図。
【符号の説明】
１０…電力系統監視制御装置、１１…伝送装置、１２…監視制御装置、１３−１，１３−２，１４−１，１４−２，１５−１，１５−２…伝送装置、１３Ａ，１４Ａ，１４Ｂ，１４Ｃ，１４Ｄ，１４Ｅ，１５Ａ…中継装置、１４−３…伝送状態通知装置、１４−４…解析データ通知情報テーブル、１４−５…解析データ保存エリア、１４−６…通知対象伝送データ種別テーブル、１４−７…トレース指示データテーブル、１４−８…トレースデータ保存エリア、１４−９…運転状態保存テーブル、１４−１０…通知先情報エリア、１６，１７，１８，１９…伝送路、２０…他の電力系統監視制御装置、４０，４０Ｂ１…伝送監視装置、４０−１…伝送監視部、４０−２…表示部、４０−３…入力部、４０−４…トレースデータ保存エリア、５０…伝送監視装置。
【図１】
2004048845.tif 000003
【図２】
2004048845.tif 000004
【図３】
2004048845.tif 000005
【図４】
2004048845.tif 000006
【図５】
2004048845.tif 000007
【図６】
2004048845.tif 000008
【図７】
2004048845.tif 000009
【図８】
2004048845.tif 000010